(57)【要約】【課題】対象物を傷つけることなく、簡単な処理でスリーブが対象物から抜き取られ、必要な工数が低減されるスリーブ抜き取り装置を提供する。【解決手段】棒状部材２１を回転させることにより、棒状部材２１に設けられているタップ部２２はスリーブ１３の内壁に雌ねじを形成し、スリーブ１３と結合する。ナット２４がリング部材２５と接しているとき、ナット２４を対象物１１へ接近する方向へ締め込むと、リング部材２５によって対象物１１側への移動が制限されているナット２４は回転するものの対象物１１側へ移動できない。そのため、ナット２４の回転による反作用によって、雄ねじ部２３においてナット２４と噛み合っている棒状部材２１は、対象物１１から遠ざかる方向へ移動する。棒状部材２１はスリーブ１３と結合していることから、対象物１１に圧入されているスリーブ１３は棒状部材２１とともに抜き取られる。【選択図】図１
2018020387.tif 000002
【特許請求の範囲】
【請求項１】
対象物に圧入された筒状のスリーブを前記対象物から抜き取るためのスリーブ抜き取り装置であって、
前記スリーブと同軸上に設けられ、前記スリーブの内側に進入する棒状部材と、
前記棒状部材の前記スリーブ側に設けられ、前記スリーブの内壁と噛み合って回転することにより、前記内壁に雌ねじを形成するタップ部と、
を備えるスリーブ抜き取り装置。
【請求項２】
前記棒状部材において、前記タップ部よりも前記対象物と反対側に前記タップ部と同軸上に設けられている雄ねじ部と、
前記雄ねじ部と噛み合って前記棒状部材の軸方向へ相対的に移動可能なナットと、
前記対象物と前記ナットの前記対象物側の端部との間に挟み込まれ、内側を前記棒状部材が貫くリング部材と、をさらに備え、
前記ナットが前記リング部材に接している状態で前記棒状部材を回転することにより、前記タップ部が前記スリーブの内壁と噛み合ってねじ結合するとともに、
前記タップ部と前記スリーブとがねじ結合した後、前記ナットを前記対象物へ接近する方向へ締め込むことにより、前記リング部材で前記対象物までの位置が固定された反作用で前記対象物から遠ざかる方向へ移動する前記棒状部材によって、前記対象物に圧入されている前記スリーブを前記対象物から抜き取る請求項１記載のスリーブ抜き取り装置。
【発明の詳細な説明】
【技術分野】
【０００１】
本発明は、対象物に圧入された筒状のスリーブを、対象物から抜き取るためのスリーブ抜き取り装置に関する。
【背景技術】
【０００２】
対象物である機械製品は、例えばブッシュ、ワッシャあるいは軸受等として用いられる筒状のスリーブを備えている。このスリーブは、対象物である機械製品の穴部に設けられている。スリーブは、この対象物に設けられている穴部の内径とほぼ同一の外径に形成されている。これにより、スリーブは、一般に圧入によって対象物に固定されている。
【０００３】
このようなスリーブは、摩耗や損傷等により本来の機能が低下すると、新しい製品に交換される。この場合、対象物に圧入されている交換対象のスリーブは、何らかの手段によって対象物から抜き取る必要がある。対象物の穴部が対象物を貫いている、つまり穴部が開放されている場合、スリーブは対象物の一方側から他方側へ打ち抜くことにより対象物から抜き取られる。
【０００４】
しかしながら、穴部が対象物の途中までしか形成されていない場合、つまり穴部の一方が塞がれている場合、スリーブを対象物から打ち抜くことができない。そのため、このような穴部に圧入されているスリーブは、切断や切削等の物理的な手段によって対象物から除去せざるを得ない。このように物理的な手段によってスリーブを対象物から除去する場合、切断や切削等を必要とするため、スリーブに限らず対象物である機械製品を傷つけるおそれがある。また、スリーブの除去に必要となる工数も増大するという問題がある。
【先行技術文献】
【特許文献】
【０００５】
【特許文献１】特開平９−８５６３６号公報
【発明の概要】
【発明が解決しようとする課題】
【０００６】
そこで、本発明の目的は、対象物を傷つけることなく、簡単な処理でスリーブが対象物から抜き取られ、必要な工数が低減されるスリーブ抜き取り装置を提供することにある。
【課題を解決するための手段】
【０００７】
請求項１記載の発明は、対象物に圧入された筒状のスリーブを前記対象物から抜き取るためのスリーブ抜き取り装置である。スリーブ抜き取り装置は、棒状部材と、タップ部とを備える。棒状部材は、前記スリーブと同軸上に設けられ、前記スリーブの内側に進入する。タップ部は、前記棒状部材の前記スリーブ側に設けられ、前記スリーブの内壁と噛み合って回転することにより、前記内壁に雌ねじを形成する。
【０００８】
このような請求項１記載の発明では、タップ部は、スリーブと同軸上に設けられ、スリーブの内側に進入する棒状部材に設けられている。棒状部材に設けられたタップ部は、スリーブの内壁と噛み合って回転することにより、スリーブの内壁に雌ねじを形成する。そのため、棒状部材を回転させながらスリーブの内側に進入させることにより、棒状部材に設けられているタップ部とスリーブとは、ねじ結合する。このようにスリーブに結合した棒状部材を対象物から引き抜くことにより、対象物に圧入されているスリーブも対象物から引き抜かれる。このとき、タップ部は、スリーブの内壁に噛み合うだけであり、対象物とは接しない。したがって、対象物を傷つけることなく、簡単な処理でスリーブを対象物から抜き取ることができ、スリーブの抜き取りに必要な工数を低減することができる。
【０００９】
請求項２記載の発明では、スリーブ抜き取り装置は、雄ねじ部と、ナットと、リング部材をさらに備えている。雄ねじ部は、前記棒状部材において、前記タップ部よりも前記対象物と反対側に前記タップ部と同軸上に設けられている。ナットは、前記雄ねじ部と噛み合って前記棒状部材の軸方向へ相対的に移動可能である。リング部材は、前記対象物と前記ナットの前記対象物側の端部との間に挟み込まれ、内側を前記棒状部材が貫く。前記ナットが前記リング部材に接している状態で前記棒状部材を回転することにより、前記タップ部が前記スリーブの内壁と噛み合ってねじ結合する。これとともに、前記タップ部と前記スリーブとがねじ結合した後、前記ナットを前記対象物へ接近する方向へ締め込むことにより、前記リング部材で前記対象物までの位置が固定された反作用で前記対象物から遠ざかる方向へ移動する前記棒状部材によって、前記対象物に圧入されている前記スリーブが前記対象物から抜き取られる。
【００１０】
このような請求項２記載の発明では、雄ねじ部は、棒状部材にタップ部と同軸上に設けられている。ナットは、この雄ねじ部と噛み合って棒状部材の軸方向へ移動する。リング部材は、棒状部材が貫いており、ナットと対象物との間に挟み込まれる。これにより、リング部材は、棒状部材と噛み合っているナットの対象物側への移動を制限する。このような構成において、棒状部材を回転することにより、棒状部材に設けられているタップ部は、スリーブの内壁に雌ねじを形成しながらスリーブの内側へ進入する。その結果、タップ部は、スリーブとねじ結合する。そして、棒状部材とスリーブとが噛み合っている状態でナットを対象物へ接近する方向へ締め込むと、リング部材によって対象物側への移動が制限されているナットは回転するものの対象物側へ移動できない。そのため、ナットの回転による反作用によって、雄ねじ部においてナットと噛み合っている棒状部材は、対象物から遠ざかる方向へ移動する。棒状部材はスリーブと結合していることから、対象物に圧入されているスリーブは対象物から遠ざかる方向へ移動する棒状部材とともに抜き取られる。したがって、対象物を傷つけることなく、棒状部材の締め込み及びナットの締め込みという簡単な処理でスリーブを対象物から抜き取ることができ、スリーブの抜き取りに必要な工数を低減することができる。
【図面の簡単な説明】
【００１１】
【図１】一実施形態によるスリーブ抜き取り装置の構成を示す模式的な分解図
【図２】一実施形態によるスリーブ抜き取り装置を示す模式図であって、棒状部材がスリーブに接した状態を示す図
【図３】一実施形態によるスリーブ抜き取り装置を示す模式図であって、タップ部がスリーブに噛み合い、ナットがリング部材に接した状態を示す図
【図４】一実施形態によるスリーブ抜き取り装置を示す模式図であって、ナットがリング部材に接した状態で回転させることにより、スリーブが抜き取られる状態を示す図
【発明を実施するための形態】
【００１２】
以下、一実施形態を図面に基づいて説明する。
図１に示すように一実施形態によるスリーブ抜き取り装置（以下、「装置」と省略する。）１０は、対象物１１の穴部１２に圧入された筒状のスリーブ１３を対象物１１から抜き取るために用いられる。穴部１２は、対象物１１の端面１４から内側へ途中まで形成されており、一方の端部が塞がれている。スリーブ１３は、この穴部１２の内側に圧入されている。スリーブ１３は、円筒状に形成されており、対象物１１である機械製品において、ブッシュ、ワッシャあるいは軸受等として用いられる。
【００１３】
装置１０は、棒状部材２１、タップ部２２、雄ねじ部２３、ナット２４及びリング部材２５を備えている。棒状部材２１は、ほぼ円柱状の棒状に形成されている。棒状部材２１は、対象物１１から遠い側の端部にヘッド部２６を有している。ヘッド部２６は、軸に垂直な断面の形状が六角形のいわゆるボルトヘッドである。タップ部２２は、この棒状部材２１においてヘッド部２６と反対側の端部、つまり対象物１１に近い側の端部に設けられている。タップ部２２は、棒状部材２１を回転しながらスリーブ１３の内側へ進入させることにより、スリーブ１３の内壁に雌ねじを形成する。
【００１４】
雄ねじ部２３は、棒状部材２１においてタップ部２２とヘッド部２６との間に設けられている。つまり、雄ねじ部２３は、棒状部材２１においてタップ部２２よりも対象物１１から遠いヘッド部２６側に設けられている。棒状部材２１に設けられているタップ部２２及び雄ねじ部２３は、棒状部材２１において同軸上に一体となって形成されている。ナット２４は、この棒状部材２１の雄ねじ部２３と噛み合っている。つまり、ナット２４は、雄ねじ部２３とねじ結合する。棒状部材２１とナット２４とが相対的に回転することにより、棒状部材２１とナット２４とは軸方向へ相対的に移動する。リング部材２５は、筒状に形成されており、内側を棒状部材２１が貫くことができる。リング部材２５は、ナット２４と対象物１１との間に挟み込まれる。具体的には、リング部材２５は、ナット２４の対象物１１側の面２７と対象物１１の端面１４との間に挟み込まれる。リング部材２５は、ナット２４と接することにより、ナット２４の対象物１１側への移動を制限する。
【００１５】
雄ねじ部２３の外径は、タップ部２２よりも大きく設定されている。雄ねじ部２３の外径をタップ部２２よりも大きく設定する場合、雄ねじ部２３とナット２４とが噛み合っているとき、抜き取られたスリーブ１３はナット２４と干渉することがない。また、雄ねじ部２３の外径は、図示した例に限らずタップ部２２と同一又はタップ部２２よりも小さく設定してもよい。さらに、雄ねじ部２３及びタップ部２２は、連続する１つの雄ねじとして形成してもよい。この場合、雄ねじ部２３及びタップ部２２は、同一の外径となり、棒状部材２１の加工も容易になる。
【００１６】
次に、上記の構成による装置１０を用いたスリーブ１３の抜き取りの作動について説明する。
スリーブ１３を抜き取るとき、図２に示すように棒状部材２１はスリーブ１３と同軸上に設けられる。そして、棒状部材２１を回転することにより、先端のタップ部２２がスリーブ１３の内側に進入する。図２に示すようにスリーブ１３の抜き取りを開始するとき、ナット２４は棒状部材２１の雄ねじ部２３にねじ結合している。そして、リング部材２５は、棒状部材２１が内側を貫いている状態で対象物１１の端面１４に置かれている。棒状部材２１は、ヘッド部２６に噛み合わせた図示しないボルト回しで回転させることにより、ナット２４が取り付けられた状態でスリーブ１３へ進入する。このとき、棒状部材２１の先端に設けられているタップ部２２は、スリーブ１３の内壁に噛み合う。そのため、スリーブ１３の内壁には、タップ部２２によって雌ねじが形成される。これとともに、棒状部材２１に設けられているタップ部２２とスリーブ１３の内壁とは、噛み合ってねじ結合する。つまり、棒状部材２１とスリーブ１３とは、結合した状態となる。棒状部材２１は、ナット２４がリング部材２５に接するまで対象物側へ締め込まれる。スリーブ１３の内側へ進入するタップ部２２の進入量は、棒状部材２１に取り付けるナット２４の位置に応じて変化する。つまり、ナット２４の位置は、スリーブ１３の軸方向の全長にあわせて設定することができる。なお、ナット２４は、棒状部材２１をスリーブ１３の所望の位置まで移動した後、リング部材２５に接するまで締め込んでもよい。また、棒状部材２１は、当初からナット２４がリング部材２５に接した状態で回転させ、先端のタップ部２２をスリーブ１３の内側へ進入させてもよい。
【００１７】
図３に示すように棒状部材２１に取り付けられたナット２４がリング部材２５に接すると、ナット２４は対象物１１側への移動がリング部材２５によって制限される。つまり、リング部材２５は、ナット２４と対象物１１との間に挟み込まれた状態となる。このとき、タップ部２２はスリーブ１３の内壁と噛み合っており、ナット２４はリング部材２５に接していることから、棒状部材２１はナット２４に支持され、スリーブ１３に噛み合った状態で対象物１１に固定される。
【００１８】
ここで、図４に示すようにナット２４は、対象物１１側へ移動する方向へ締め込まれる。上述のようにナット２４は、リング部材２５と接することにより、対象物１１側への移動が制限されている。そのため、ナット２４は、締め込まれても対象物１１側へ移動できない。その結果、このナット２４の締め込みによる反作用によって、棒状部材２１は対象物１１から遠ざかる方向へ移動する。つまり、図４に示す状態でナット２４を対象物１１側へ締め込むとき、ナット２４はリング部材２５によって移動が制限されている。この状態で継続してナット２４を締め込むと、ナット２４と棒状部材２１との相対的な移動によって棒状部材２１は対象物１１から遠ざかる方向へ移動する。これにより、棒状部材２１の先端に設けられているタップ部２２と結合しているスリーブ１３は、棒状部材２１とともに対象物１１から遠ざかる方向つまり図４の上方へ移動する。その結果、対象物１１に圧入されているスリーブ１３は、棒状部材２１とともに対象物１１から抜き取られる。
【００１９】
以上説明したように、一実施形態の装置１０は、棒状部材２１の先端にタップ部２２を備えている。タップ部２２は、スリーブ１３と同軸上に設けられ、スリーブ１３の内壁と噛み合って回転することにより、スリーブ１３の内壁に雌ねじを形成する。そのため、棒状部材２１を回転させながらスリーブ１３の内側に進入させることにより、棒状部材２１に設けられているタップ部２２とスリーブ１３とはねじ結合する。このようにスリーブ１３に結合した棒状部材２１を対象物１１から引き抜くことにより、対象物１１に圧入されているスリーブ１３も対象物１１から引き抜かれる。このとき、タップ部２２は、スリーブ１３の内壁に噛み合うだけであり、対象物１１とは接しない。したがって、対象物１１を傷つけることなく、簡単な処理でスリーブ１３を対象物１１から抜き取ることができ、スリーブ１３の抜き取りに必要な工数を低減することができる。
【００２０】
また、一実施形態の装置１０は、雄ねじ部２３、ナット２４及びリング部材２５を備えている。棒状部材２１を回転することにより、棒状部材２１はスリーブ１３の内側へ進入する。このとき、棒状部材２１に設けられているタップ部２２は、スリーブ１３の内壁に雌ねじを形成しながらスリーブ１３の内側へ進入する。その結果、タップ部２２は、スリーブ１３とねじ結合する。そして、ナット２４がリング部材２５と接しているとき、棒状部材２１とスリーブ１３とが噛み合っている状態でナット２４を対象物１１へ接近する方向へ締め込むと、リング部材２５によって対象物１１側への移動が制限されているナット２４は回転するものの対象物１１側へ移動できない。そのため、ナット２４の回転による反作用によって、雄ねじ部２３においてナット２４と噛み合っている棒状部材２１は、対象物１１から遠ざかる方向へ移動する。棒状部材２１はスリーブ１３と結合していることから、対象物１１に圧入されているスリーブ１３は対象物１１から遠ざかる方向へ移動する棒状部材２１とともに抜き取られる。したがって、対象物１１を傷つけることなく、棒状部材２１の締め込み及びナット２４の締め込みという簡単な処理でスリーブ１３を対象物１１から抜き取ることができ、スリーブ１３の抜き取りに必要な工数を低減することができる。
【００２１】
以上説明した本発明は、上記実施形態に限定されるものではなく、その要旨を逸脱しない範囲で種々の実施形態に適用可能である。
一実施形態では、対象物１１の天地方向へ穴部１２が延びる例について説明した。しかし、穴部１２は、対象物１１の天地方向に限らず、天地に対して垂直な水平面方向等、任意の角度に形成されていてもよい。また、一実施形態では、対象物１１の穴部１２は、一方の端部が塞がれた例について説明した。しかし、穴部１２は、端面１４と反対側の端部が開放していてもよい。このように穴部１２の両端が開放している場合でも、例えば対象物１１の構造的な制約から取り外したスリーブ１３の回収が困難な構造等のように、端面１４と反対側にスリーブ１３を打ち抜くことができないことがある。この場合、上記の実施形態のようにスリーブ１３を抜き取ることにより、確実にスリーブ１３を回収することができる。
【符号の説明】
【００２２】
図面中、１０は装置（スリーブ抜き取り装置）、１１は対象物、１２は穴部、１３はスリーブ、２１は棒状部材、２２はタップ部、２３は雄ねじ部、２４はナット、２５はリング部材を示す。
【図１】
2018020387.tif 000003
【図２】
2018020387.tif 000004
【図３】
2018020387.tif 000005
【図４】
2018020387.tif 000006